(57)【特許請求の範囲】
【請求項１】
時計の外装ケースの内部と外部とに亘って設けられ前記外装ケースの内部に設けられた巻真の軸周りに回転されて当該巻真に螺合されるりゅうず本体を備え、
前記りゅうず本体は、前記巻真の当該りゅうず本体側の端部に対して前記外装ケースの外部から係合可能に構成され、
前記巻真への係合により、前記巻真を前記りゅうず本体に対して回転可能に構成されている
ことを特徴とするりゅうず。
【請求項２】
時計の外装ケースの内部と外部とに亘って設けられ前記外装ケースの内部に設けられた巻真の軸周りに回転されて当該巻真に螺合されるりゅうず本体と、
前記りゅうず本体を前記巻真の軸方向に沿って貫通する軸部材とを備え、
前記軸部材は、前記巻真の前記りゅうず本体側の端部に係合可能な係合部を有し、この係合部により前記巻真を前記りゅうず本体に対して回転可能に構成されている
ことを特徴とするりゅうず。
【請求項３】
請求項２に記載のりゅうずにおいて、
前記軸部材の前記外装ケース外側の端部には、冶具などが係合可能であって、かつ、この冶具により当該軸部材を前記りゅうず本体に対して回転可能な被係合部が形成されている
ことを特徴とするりゅうず。
【請求項４】
請求項２または３に記載のりゅうずにおいて、
前記りゅうず本体および前記軸部材には、前記巻真側から当該巻真の軸方向に沿って前記外装ケースの外側に向かう方向において互いに係合する段差部がそれぞれ形成されている
ことを特徴とするりゅうず。
【請求項５】
計時部と、この計時部により計時された計時情報を表示する計時情報表示部と、請求項１から４のいずれかに記載のりゅうずとを備える
ことを特徴とする時計。
【発明の詳細な説明】
【技術分野】
【０００１】
本発明は、りゅうず、および時計に関する。
【背景技術】
【０００２】
従来、時計の外装ケースに関し、図８に示すように裏蓋が無く、胴部９１と底部９２とが一体に形成されたワンピース構造が知られ、このワンピース構造の時計を分解する際には、ワンピース胴９０の内部および外部に亘って設けられた巻真９５１およびりゅうず９３を取り外さなくてはならない。ここで、巻真９５１は、図８には図示しないが、おしどりと呼ばれる部材によってムーブメント９５の内部に係止されており、巻真９５１を取り外すには、このおしどりによるムーブメント９５への係止を外す必要がある。なお、図８において、９５０は中枠、９６は電池、９４１はカバーガラス、９４２は縁部材である。
【０００３】
ここで、ワンピース構造の場合、文字板側からムーブメントがワンピース胴に挿入され、おしどりによる巻真の係止を外すためのおしどりレバーが胴部の文字板側の端部に設けられている（特許文献１）。このおしどりレバーは、おしどりと地板との間に配置されており、このレバーの先端部に形成された折り曲げ片が胴部の端部に押し当てられている。これにより、胴部の端部を支点に当該レバーが傾き、おしどりが連動して巻真とムーブメント内部との係合が外れるので、巻真をケースから引き抜くことができる。
一方、裏蓋と胴部とを備えるワンピース以外の構造では、裏蓋側からムーブメントが胴部に挿入され、おしどりが裏蓋側にあり、ムーブメント内部への巻真の係止を外すためおしどりを押すための押しボタンが裏蓋に設けられていた。
【０００４】
【特許文献１】特開平７−２７０５４７号公報（図１、図２）
【発明の開示】
【発明が解決しようとする課題】
【０００５】
しかしながら、ワンピース構造におけるおしどりレバーは、胴部の文字板側の端部に設けられ、この胴部の端部には、カバーガラスを保持する縁部材が設けられるため、時計を分解する際には、まず、縁部材を胴部から取り外してから、おしどりレバーを操作し、ムーブメント内部と巻真との係合を外し、りゅうずを介して巻真を胴部から引き抜くという、一連の手順が必要となり、煩雑であった。
また、ワンピース構造とワンピース以外の構造とでは、おしどりを外す構造が前述のおしどりレバーや押しボタンのように互いに異なることから、ムーブメントを共通化できなかった。
【０００６】
本発明の目的は、時計を容易に分解できるとともに、外装ケースの構造に関わらず、時計のムーブメントを共通化できるりゅうず、およびこのりゅうずを備えた時計を提供することにある。
【課題を解決するための手段】
【０００７】
本発明のりゅうずは、時計の外装ケースの内部と外部とに亘って設けられ前記外装ケースの内部に設けられた巻真の軸周りに回転されて当該巻真に螺合されるりゅうず本体を備え、前記りゅうず本体は、前記巻真の当該りゅうず本体側の端部に対して前記外装ケースの外部から係合可能に構成され、前記巻真への係合により、前記巻真を前記りゅうず本体に対して回転可能に構成されていることを特徴とする。
【０００８】
この発明によれば、りゅうず本体と巻真とが螺合され、外装ケースの外側から適当な冶具を巻真の端部に係合し、この冶具により、りゅうず本体と巻真とが螺合された際の回転方向とは逆方向に巻真をりゅうず本体に対して回転させることにより、巻真からりゅうず本体が外れるので、りゅうず本体を外装ケースから取り外すことができる。このようにりゅうずと巻真とを外装ケースの外側から分解可能であるため、巻真が設けられるムーブメントと外装ケースとに時計を容易に分解できる。なお、外装ケースの内部に設けられた巻真に対してりゅうず本体が外装ケースの内部で螺合することから、外装ケースとムーブメントとを分離する際、巻真が外装ケースに干渉しない。
【０００９】
このように、りゅうず本体と巻真とを分解することで時計の分解が可能となるので、従来のおしどりレバーやおしどりを押すボタン等を不要にできる。このため、外装ケースがワンピース構造の場合はおしどりレバーを設け、ワンピース以外の構造の場合はおしどりを押すボタンを設けるなど、外装ケースの構造に応じてムーブメントを違う構成とする必要がなくなり、外装ケースの構造に関わらずムーブメントを共通化できる。
【００１０】
また、外装ケースの開口端部近傍に配置されていたおしどりレバーが不要となることから、文字板のサイズを大きくできる。
さらに、裏蓋に設けられていたおしどりを押すためのボタンも不要となり、このボタンの押圧操作に係る破損や、ボタンへの汚れの付着などが生じなくなる。
【００１１】
なお、巻真およびりゅうず本体に形成されるネジの構成は任意であるが、例えば、巻真の外周に形成された雄ネジに対して、りゅうず本体に形成された雌ネジが螺合する構成とできる。また、外装ケースの外部から係合可能な巻真の端部の構成は、りゅうず本体に対して巻真の回り止めが図られる限り任意であるが、このような構成として、例えば、二面幅、多角形状などの凸部と溝との係合を例示できる。
そして、りゅうず本体に、巻真の端部を外装ケースの外部に連絡する開口が形成されている場合、この開口は、蓋部材によって覆われることが好ましい。
【００１２】
本発明のりゅうずは、時計の外装ケースの内部と外部とに亘って設けられ前記外装ケースの内部に設けられた巻真の軸周りに回転されて当該巻真に螺合されるりゅうず本体と、前記りゅうず本体を前記巻真の軸方向に沿って貫通する軸部材とを備え、前記軸部材は、前記巻真の前記りゅうず本体側の端部に係合可能な係合部を有し、この係合部により前記巻真を前記りゅうず本体に対して回転可能に構成されていることを特徴とする。
【００１３】
この発明によれば、軸部材を備え、軸部材をりゅうず本体に対して回転させることにより、前記の発明と略同様の効果を奏するほか、外装ケースの外側から冶具などにより外装ケース内部にある巻真の端部を探ることが不要となるから、取扱性を向上させることができる。
また、軸部材がりゅうず本体を貫通する構成であり、りゅうず本体には、軸部材が挿通される孔などが形成されるが、この孔は軸部材により閉塞することが可能であるため、外装ケースの防水性を確保できる。
【００１４】
本発明のりゅうずでは、前記軸部材の前記外装ケース外側の端部には、冶具などが係合可能であって、かつ、この冶具により当該軸部材を前記りゅうず本体に対して回転可能な被係合部が形成されていることが好ましい。
【００１５】
この発明によれば、りゅうずの取り外しに用いる冶具が簡素な汎用冶具で済み、りゅうず本体を貫通して巻真の端部に係合する冶具のような特殊な専用冶具を不要にできる。
【００１６】
本発明のりゅうずでは、前記りゅうず本体および前記軸部材には、前記巻真側から当該巻真の軸方向に沿って前記外装ケースの外側に向かう方向において互いに係合する段差部がそれぞれ形成されていることが好ましい。
【００１７】
この発明によれば、軸部材により巻真を回転させて巻真とりゅうず本体とを分解する際、軸部材の段差部とりゅうず本体の段差部との係合により軸部材がりゅうず本体を伴って外装ケースの内側から外側に移動する。これにより、巻真からりゅうず本体を取り外す際に、これら軸部材とりゅうず本体とを外装ケースから一体に抜き取ることができ、簡単に取り扱うことができる。
【００１８】
本発明の時計は、計時部と、この計時部により計時された計時情報を表示する計時情報表示部と、前記のりゅうずとを備えることを特徴とする。
この発明によれば、前述のりゅうずを備えるため、前述した効果と略同様の効果を享受できる。
【発明の効果】
【００１９】
本発明によれば、外装ケースの構造に関わらず、外装ケースから容易に取り外すことができる。
【発明を実施するための最良の形態】
【００２０】
以下、本発明の実施形態について図面を参照して説明する。なお、以降の説明において、既に説明した構成と略同様の構成については、同じ符号を付して説明を省略または簡略する。
〔１．時計の全体構成〕
図１は、本実施形態の時計１の側断面図を示す。時計１は、計時部としてのムーブメント１０と、ムーブメント１０を収容する外装ケース２０とを備える。ムーブメント１０の表側には、計時情報表示部として文字板１１および指針１２が設けられるとともに、ムーブメント１０の裏側には、駆動源として電池１３が設けられている。時計１は、アナログ式またはデジタル式の電子時計であり、外装ケース２０の側面に設けられたりゅうず３０により、ムーブメント１０の巻真１４が操作される。
【００２１】
〔２．外装ケースの構成〕
外装ケース２０は、ワンピース胴２１と、ワンピース胴２１の開口に設けられるカバーガラス２２と、カバーガラス２２の周りを保持する環状の縁部材２３とを備えている。
【００２２】
縁部材２３は、カバーガラス２２をパッキン２３１の介在により保持し、飾り縁（ベゼル）としても機能する。縁部材２３の内周には、雌ネジ部２３２が形成され、この雌ネジ部２３２に、文字板１１周りの見切り（ダイアルリング）１５がねじ込まれている。
また、縁部材２３の裏側には、ワンピース胴２１の開口に圧入される環状のリブ２３３が突設されている。このリブ２３３とワンピース胴２１の端部との間には、ゴム製のパッキン２３３Ａが介装される。また、リブ２３３の３時方向には、りゅうず１４を逃げる切欠２３３Ｂ（図２）が形成されている。
【００２３】
ワンピース胴２１は、樹脂製や金属製であり、筒状の胴部２１１および底部２１２が一体形成されている。胴部２１１の側面には、りゅうず３０が挿通されるパイプ２１１Ａ（図６）が固着されている。
【００２４】
このワンピース胴２１の内周面とムーブメント１０との間には、略環状の中枠２１３が配置され、中枠２１３の外周部には、耐磁性の固定板４０が固着されている。
固定板４０は、中枠２１３の外周から胴部２１１の内周面近傍まで延び、文字板１１裏面の数箇所に設けられた足１１１を支持する。この固定板４０および中枠２１３により、落下時などの耐衝撃性が高められている。
固定板４０の中枠２１３外周側の端部には、底部２１２に向かって突出するリブ４１が形成されている。
【００２５】
ここで、固定板４０の胴部２１１内周面側の端部４２は、縁部材２３に螺合された見切り１５に対して、径方向の複数箇所でネジ４２１によって固定されている。すなわち、この固定板４０の見切り１５への固定により、ムーブメント１０が縁部材２３に固定されている。
図２に、ワンピース胴２１が取り外された状態の時計１の裏側を示した。中枠２１３の一部は径方向に沿って切り欠きされており、この切欠２１３Ａに巻真１４が配置される。固定板４０は、周回方向において等間隔に４つ設けられるネジ４２１によって見切り１５に固定される。
【００２６】
なお、固定板４０において巻真１４が配置される部分には、固定板４０の円中心に対して隣り合うネジ４２１がなす角度と略同じ角度で切欠４３が形成されている。図２に示すように、縁部材２３にねじ込まれた見切り１５と固定板４０とを組み付ける際には、ムーブメント１０に巻真１４が設置されておらず、ネジ４２１が挿通される固定板４０の孔と見切り１５のネジ穴とを位置合わせする際に、固定板４０を周回方向に回転させて切欠４３から見切り１５のネジ穴を露出させることにより、固定板４０の見切り１５に対するズレ量を把握できる。すなわち、切欠４３から見切り１５のネジ穴が露出した時点でズレ量を迅速に把握できるので、固定板４０を回転させる角度を小さくできる。これにより、位置決めピンなどを設けなくても組み立ての効率が向上する。この切欠４３の角度はネジ４２１の本数に応じて変わる。
このように固定板４０と縁部材２３とが組み付けられた後、ムーブメント１０に巻真１４を設置し、ワンピース胴２１の開口に縁部材２３のリブ２３３を圧入し、ワンピース胴２１の外側からりゅうず３０を巻真１４に連結することにより、時計１の組み立てが完了する。
【００２７】
〔３．りゅうずの構成〕
次に、りゅうず３０について図１、および図３〜図５を参照して説明する。ここで、りゅうず３０が連結される巻真１４の構成も併せて説明する。図３は、りゅうず３０および巻真１４の側断面図であり、図４は、りゅうず３０および巻真１４の分解図である。また、図５（Ａ）は、図３のVＡ矢視図であり、図５（Ｂ）は、図４のVＢ矢視図である。
りゅうず３０は、外装ケース２０（図１）の内部と外部とに亘って設けられ、外装ケース２０内部で巻真１４に連結される本体３１と、巻真１４の軸方向Ａに沿って本体３１を貫通する軸部材３２とを備える。
【００２８】
本体３１は、ワンピース胴２１の外側に突出する頭部３１１と、ワンピース胴２１側面のパイプ２１１Ａ（図６）に挿通されて巻真１４に連結される挿通部３１２とを有し、これらの頭部３１１および挿通部３１２には、巻真１４の軸方向Ａに沿って孔３１３が貫通形成されている。この孔３１３の内径に関し、孔３１３の内周面における段差部３１２Ａの形成により、頭部３１１側の径寸法が挿通部３１２側の径寸法よりも小さくなっている。また、挿通部３１２の巻真１４側の端部における内周面には、雌ネジ３１２Ｂが形成されている。
【００２９】
軸部材３２は、本体３１の孔３１３に挿通され、頭部３１１側の軸部材３２の端部には、二面幅とされた被係合部３２１（図５（Ａ））が軸方向Ａに沿って突設されている。この被係合部３２１の側面と孔３１３の内周面との間には、パッキン３２１Ａが設けられる。
また、被係合部３２１側とは反対側の軸部材３２の端部には、巻真１４の端部と係合する係合部としての溝３２２（図５（Ｂ））が形成されている。
さらに、軸部材３２の外周部には、巻真１４側から本体３１の段差部３１２Ａに係合する段差部３２３が形成されている。
【００３０】
巻真１４は、ムーブメント１０の内部からパイプ２１１Ａの近傍まで延びており、ムーブメント１０の外側に突出する巻真１４の端部には、二面幅の被係合部１４１が突設されている。この被係合部１４１が軸部材３２の溝３２２に係合される。また、巻真１４の端部外周には、雄ネジ１４２が形成され、この雄ネジ１４２に軸部材３２の雌ネジ３１２Ｂが螺合固定されることにより、巻真１４にりゅうず３０が連結される。
【００３１】
このようなりゅうず３０では、本体３１の頭部３１１をワンピース胴２１の外側に引き出してから回すことにより、巻真１４が回転する。この巻真１４の回転により、アナログ式の場合、ムーブメント１０内部の輪列が動いて時刻や暦などが調整される。また、デジタル式の場合、ムーブメント１０内部の回路部が動作して、時刻、暦の調整や各種設定の変更が行われる。
【００３２】
ここで、電池１３の交換などのために時計１を分解する際には、軸部材３２の被係合部３２１に図示しない冶具などを係合し、本体３１と巻真１４とが螺合された際の回転方向とは逆の方向に軸部材３２を本体３１に対して回す。すると、溝３２２と被係合部１４１との係合により、巻真１４が本体３１に対して回転し、巻真１４から本体３１が外れる。この際、軸部材３２の段差部３２３と本体３１の段差部３１２Ａとの係合により、軸部材３２が本体３１を伴って巻真１４から離れる方向に移動し、軸部材３２と本体３１とがパイプ２１１Ａから共に抜き取られることで、ワンピース胴２１からりゅうず３０が取り外される。このりゅうず３０の取り外しにより、ムーブメント１０に接続されワンピース胴２１の内部と外部とに亘って設けられた部材はなくなるので、ムーブメント１０とワンピース胴２１とを分解することが可能となる。
【００３３】
図６に、りゅうず３０がワンピース胴２１から取り外され、時計１がワンピース胴２１と、ムーブメント１０とに分解された状態を示した。本実施形態では、ムーブメント１０が縁部材２３に取り付けられているので、この縁部材２３をワンピース胴２１から取り外すことでムーブメント１０がワンピース胴２１から分離し、図２に示すように、電池１３が設けられたムーブメント１０の裏側が外部に露出する。
【００３４】
すなわち、ムーブメント１０とワンピース胴２１とに時計１を分解するに際して、従来のワンピース構造の時計のように、縁部材２３をワンピース胴２１から取り外した後、巻真１４をムーブメント１０内部から外してワンピース胴２１から抜き取り、さらに、ワンピース胴２１の内部からムーブメント１０を取り外すという煩雑な手順が不要であって、ムーブメント１０と、縁部材２３と、ワンピース胴２１とに時計１を完全に分解してしまうことが不要である。つまり、軸部材３２によってりゅうず３０をワンピース胴２１から取り外し、縁部材２３をワンピース胴２１から取り外すだけで、ムーブメント１０裏面側の電池１３を容易に交換できる。
【００３５】
〔４．本実施形態による効果〕
このような本実施形態によれば、次のような効果がある。
（１）りゅうず３０に関し、巻真１４と本体３１とが螺合されるとともに、本体３１に形成された孔３１３を通じて、外装ケース２０の外側から巻真１４を本体３１に対して回転可能であるため、りゅうず３０をワンピース胴２１から取り外すことができ、巻真１４が設けられるムーブメント１０と外装ケース２０とに時計１を容易に分解できる。
【００３６】
（２）りゅうず３０と巻真１４とをワンピース胴２１の外側から分解可能であるため、従来のおしどりレバーやおしどりを押すボタン等を不要にできる。これにより、ワンピース構造の時計１でも、裏蓋および胴部を備えるワンピース以外の構造の時計でも、同じムーブメント１０を使用でき、ムーブメントの共通化によって、時計１のモデル展開を促進できる。
【００３７】
（３）また、ワンピース胴２１の開口近傍に配置されていたおしどりレバーが不要となるので、文字板１１のサイズを大きくできる。
【００３８】
（４）さらに、りゅうず３０は、本体３１を貫通して巻真１４に係合する軸部材３２を備えるので、軸部材３２を回転させると、巻真１４が本体３１に対して回転し、巻真１４から本体３１が外れる。このように軸部材３２を備えたことから、ワンピース胴２１の外側から孔３１３を通じて巻真１４の端部を冶具などで探ることが不要となり、取扱性を向上させることができる。
【００３９】
（５）軸部材３２およびパッキン３２１Ａによって孔３１３が閉塞されるので、パイプ２１１Ａを通じた入水が阻止され、外装ケース２０の内部を水密にできる。
【００４０】
（６）また、軸部材３２の巻真１４とは反対側の端部には、被係合部３２１が形成されているため、この被係合部３２１に簡素な冶具を係合させ、軸部材３２を回転させることが可能となる。すなわち、りゅうず３０の取り外しに用いる冶具が簡素な汎用冶具で済み、本体３１を貫通して巻真１４の端部に係合する冶具のような特殊な専用冶具を不要にできる。
【００４１】
（７）本体３１および軸部材３２には、互いに係合する段差部３１２Ａおよび段差部３２３がそれぞれ形成されているので、本体３１と軸部材３２とをワンピース胴２１から一体に抜き取ることができ、簡単に取り扱うことができる。
【００４２】
（８）ワンピース構造の時計１において、ワンピース胴２１の外側からりゅうず３０と巻真１４とが分解可能とされていることと、ムーブメント１０が縁部材２３に取り付けられていることとによって、ムーブメント１０をワンピース胴２１から取り出す際の煩雑な手順を不要にできる。
【００４３】
（９）また、時計１は電池１３の交換が必要な電子時計（クォーツ）であり、時計１が分解される頻度が高いことから、ムーブメント１０をワンピース胴２１から簡単に取り出せることの効果がより大きい。
すなわち、ワンピース構造の時計１であって、しかも電池１３を内蔵する時計１は、りゅうず３０の使用に最も適する。
なお、電池１３を内蔵しない機械時計や機械式電子時計、ソーラー発電式時計の場合、あるいは裏蓋と胴部とを備えるワンピース以外の構造の場合でも、りゅうず３０の使用により、時計を容易に分解できる。
【００４４】
（１０）電池１３の交換が容易であることから、従来のワンピース構造のように、機械動力源により発電する電子機械式やソーラー発電式などの電池交換が不要の方式を採用する必要がない。すなわち、電池１３の交換が必要であって分解の頻度が高い時計１についても、ワンピース構造を採用して薄型化できる。
【００４５】
本発明は、前述の各実施形態に限定されるものではなく、以下に示すような変形をも含むものである。
【００４６】
図７は、本発明の変形例における時計のりゅうず５０を示す。りゅうず５０は、前記実施形態のりゅうず３０（図３）と略同様の本体３１を備えるが、本体３１の孔３１３には、前記実施形態のように軸部材３２が挿通されていない。このため、巻真１４端部の被係合部１４１が孔３１３を通じて外部に開放されている。なお、孔３１３には、ワンピース胴２１の内部を水密に保つキャップ５３が着脱可能に設けられている。
このような構成では、巻真１４の被係合部１４１に係合可能な図示しない冶具を用いる。この冶具により、巻真１４をりゅうず本体３１に対して回転させると、巻真１４と本体３１とが分解される。
本変形例によっても、前記実施形態で述べた効果と略同様の効果を奏する。
【００４７】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４８】
【図１】本発明の実施形態におけるワンピース構造の時計の側断面図。
【図２】前記実施形態の時計においてワンピース胴が取り外された状態を示す斜視図。
【図３】前記実施形態におけるりゅうずの側断面図。
【図４】前記実施形態におけるりゅうずを分解した側断面図。
【図５】（Ａ）は、図３におけるVＡ矢視図、（Ｂ）は、図４のVＢ矢視図。
【図６】前記実施形態における時計の分解を示す側断面図。
【図７】本発明の変形例における時計の側断面図。
【図８】従来例におけるワンピース構造の時計の側断面。
【符号の説明】
【００４９】
１・・・時計、１０・・・ムーブメント（計時部）、１１・・・文字板（計時情報表示部）、１２・・・指針（計時情報表示部）、１４・・・巻真、２０・・・外装ケース、３０，５０・・・りゅうず、３１・・・本体（りゅうず本体）、３２・・・軸部材、１４１・・・被係合部（巻真の端部）、１４２・・・雄ネジ、３１２Ｂ・・・雌ネジ、３１３・・・孔、３２１・・・被係合部、３２２・・・溝（係合部）、３２３・・・段差部、Ａ・・・軸方向。
【図１】
0004725386.tif 000002
【図２】
0004725386.tif 000003
【図３】
0004725386.tif 000004
【図４】
0004725386.tif 000005
【図５】
0004725386.tif 000006
【図６】
0004725386.tif 000007
【図７】
0004725386.tif 000008
【図８】
0004725386.tif 000009